(57)【特許請求の範囲】
【請求項１】
資材本体が織布、不織布又はフィルムで構成され、柄眼目類害虫の忌避成分を含有すると共に、前記資材本体の少なくとも一方の表面に凹凸形状を形成したことを特徴とする柄眼目類害虫の防除資材。
【請求項２】
資材本体が織布、不織布又はフィルムで構成され、柄眼目類害虫の忌避成分を含有し、且つ凹凸形状を有する織布、不織布又はフィルムが資材本体の少なくとも一方の面に貼着されていることを特徴とする柄眼目類害虫の防除資材。
【発明の詳細な説明】
【０００１】
【産業上の利用分野】
本発明は、カタツムリ類、ナメクジ類などの柄眼目類害虫を防除するための防除資材に関し、さらに詳しくは植木鉢や育苗ポットなどの下敷きとして使用する柄眼目類害虫の防除資材に係るものである。
【０００２】
【従来の技術】
軟体動物網、有肺亜綱、柄眼目に属するカタツムリ類、ナメクジ類は、それらの消化管から強力なセルラーゼを分泌して繊維素を消化する機能を有する。これらの生物は生理的に日夜体重の５０％以上にも及ぶ多量の水分を代謝する特性があり、不足した水分は食物から補わねばならないから、結果として多量の植物の新芽、花、幼果、野菜等を食害して害を与える。しかも夜行性で昼間は物陰に潜んでいるので、見付けて捕殺するのも困難である。なおヒキガエルはナメクジを捕食する習性があるが、近年における自然環境の悪化は、天敵の生存を危うくしている。
【０００３】
カタツムリやナメクジ等の柄眼目類害虫の防除には、従来から誘引性接触毒としてパラホルムアルデヒド《パラフォルム》やメタアルデヒドが利用されていれる。しかしこれらの薬剤は、少量づつではあるがホルムアルデヒドやアセトアルデヒドを揮散するから環境上無害であるとは言えず、かつ顆粒状であるので、鉢植え植物や果樹を食害から防ぐには根元に多量散布しておかねばならす、薬剤費が多額となる。また、降雨や散水によって効果が減少するため頻繁な散布作業が必要になり、コストアップの原因になるという問題もあった。
【０００４】
また、植木鉢の底部に穿設されている排水孔の内側に銅網や通孔を穿設した銅板を敷くことも昔から行われているが、鉢の側面を移動するナメクジ等の防除には無効である。また、銅板や銅網は材料費が高価であり、大量に使用するとコストアップを招くものであるし、適当な大きさにカットする事も簡単でないので、汎用的に使用されていないのが現状である。
【０００６】
【発明が解決しようとする課題】
そこで本発明が解決しようとする課題は、ナメクジ等の柄眼目類害虫の防除に有効で且つ持続性があり、しかも人畜に対し危険の少ない防除資材を開発することである。
【０００７】
【課題を解決するための手段】
「請求項１」に記載の柄眼目類害虫の防除資材(A1)は、『資材本体(1)が織布、不織布又はフィルムで構成され、柄眼目類害虫の忌避成分を含有すると共に、前記資材本体の少なくとも一方の表面に凹凸形状を形成した』ことを特徴とするものである。また、「請求項２」に記載の柄眼目類害虫の防除資材(A2)は、『資材本体(1)が織布、不織布又はフィルムで構成され、柄眼目類害虫の忌避成分を含有し、且つ凹凸形状を有する織布(2)、不織布(2)又はフィルム(2)が資材本体(1)の少なくとも一方の面に貼着されている』ことを特徴とするものである。
【０００８】
【作用】
忌避成分が均一に含有されているもの及び張り合わせにより形成された防除資材(A)の資材本体(1)はいずれも織布、不織布又はフィルムで構成されており、この防除資材(A)の上に植木鉢を載置すると、忌避成分の作用によって柄眼目類害虫が植木鉢に近付くことができず、植木鉢に植えた植物を柄眼目類害虫の食害から守ることができ、また、植木鉢の底部が柄眼目類害虫の繁殖場所となるのを防止することができる。
【０００９】
そして、防除資材(1)の少なくとも一方の表面に凹凸形状が形成されており、この凹凸形状上に設けられた凹溝(4)が排水溝の役目を果たすので、植木鉢の排水口が完全に閉塞されることがなく、植木鉢に植えた植物の根腐れを防止する事が出来る。さらに、植木鉢の前記排水口から雑草が入り込む事も防止出来、鉢植え植物の育成に大きな効果を発揮することができる。
【００１２】
【実施例】
以下、本発明を図示実施例に従って説明する。本発明にかかる柄眼目類害虫の防除資材(A)の忌避成分としては銅イオンを発生するもの、例えば金属銅、金属銅合金、銅化合物《硫酸銅、水酸化銅、亜酸化銅、硝酸銅、塩化銅》、銅粉、銅繊維、銅箔などが挙げられる。これ以外では従来から使用されているパラホルムアルデヒド《パラフォルム》やメタアルデヒドなども考えられる。
【００１３】
防除資材(A)の形態としては、図１および２に示すように織布、不織布又はフィルムで構成されたシート状の資材本体(1)に柄眼目類害虫の忌避成分を直接担持させたもの(A1)、および、図３、４および５に示すように柄眼目類害虫の忌避成分を含む織布(2)、不織布(2)又はフィルム(2)をシート状の資材本体(1)の少なくとも一方の面に貼着したもの(A2)が挙げられる。そして、シート状の資材本体(1)の少なくとも一方の表面或いは柄眼目類害虫の忌避成分を含有し資材本体(1)に貼着される織布(2)、不織布(2)又はフィルム(2)は山形又は波形の凹凸異形形状に形成され、凹溝(4)が設けられている。なお、シート状の資材本体(1)は柔軟なものでもよいし、板状のものでもよい。
【００１４】
ここで、資材本体(1)が織布又は不織布の場合、ー般に天然又は合成繊維、合成樹脂などの素材を織成、編成或いは抄造する事により形成されたものが用いられる。この場合、その表裏には多数の微細な通気孔が貫通している。一方、資材本体(1)がフィルムの場合、合成樹脂などの素材を押出、バルーン成形或いはその他の樹脂加工方法により形成したものが用いられる。また、防除資材(A)に形成される凹凸形状としては、図１および図３に示したような山形のものや、図２、図４および図５に示すような波板状のものなどが挙げられる。
【００１５】
次に、柄眼目類害虫の忌避成分の担持方法に付いて説明する。柄眼目類害虫の忌避成分の担持素材が例えばエチレン酢酸ビニル共重合樹脂のような合成樹脂の場合、前記忌避成分《特に銅粉、銅短繊維、銅箔や銅化合物粉又はパラホルムアルデヒドやメタアルデヒド》の１つ又は複数を練り込んで糸やテープ又はフィルムにする。銅粉又は銅繊維を練り込んだ樹脂の場合は、延伸により内部の銅粉又は銅繊維を露出させておくのがよい。素材が天然繊維の場合には、銅化合物溶液を含浸させたり、銅繊維を一緒に編み込んだり、抄造によって混入させたりする事になる。その他クエン酸銅等の水溶性銅塩を含浸させた織布乃至不織布をアルカリ性でフォルマリンにより還元して基布繊維上に銅を箔状に祈出させたものも有効に利用されうる。また、糸の表面に防除剤を塗布して忌避作用を糸自体に付与する事も考えられるし、この防除剤塗布糸を使用して織布又は不織布を構成する事も考えられる。また、前記防除剤塗布糸と一般の熱可塑性樹脂糸とを組み合わせて構成する事も考えられる。以上のようにして防除資材(A)の少なくとも一方の表面全体に忌避成分を均一に担持させる。
【００１８】
防除資材(A)の使用形態としては、防除資材(A)上に植物を植えた植木鉢を載置して育成する形態が挙げられる。このようにしておけば、柄眼目類害虫の忌避成分を含むフィルム(2)の効果により柄眼目類害虫が載置物に近付くことができず、食害を防止し、植木鉢の底部が柄眼目類害虫の繁殖場所となるのを防止する事が出来る。また、防除資材(A)に形成された凹溝(4)が排水溝の役目を果たす事になり、根腐れの防止効果も果たす事になる。さらに、雑草が入り込む事も防止出来、鉢植え植物の育成に大きな効果を発揮した。
【００１９】
［実施例１］エチレン酢酸ビニル共重合樹脂に柄眼目類害虫の防除剤を練り込んだフィルム（厚み１００μｍ）を育苗用凸凹シート（厚み０.３mm）に張り合わせた。このシート上に苺苗を植えたポリポットを育成したところ、凸凹シートの主目的である排水性による根腐れ防止と防草効果と共にナメクジ被害もなく好結果が得られた。
【発明の効果】
本発明によれば、柄眼目類害虫による食害を防止するのみならず、根腐れや雑草の混入を防止し、鉢植え植物の育成に大きな効果を発揮する防除資材を提供することができる。
【図面の簡単な説明】
【図１】本発明の一実施例の防除資材(片面凹凸形状の資材本体に忌避成分を含有)を示した斜視図である。
【図２】本発明の一実施例の防除資材(両面凹凸形状の資材本体に忌避成分を含有)を示した斜視図である。
【図３】本発明の一実施例の防除資材(資材本体の片面に凹凸形状の忌避成分含有シート部材を貼着)を示した斜視図である。
【図４】本発明の一実施例の防除資材(両面凹凸形状の資材本体の片面に凹凸形状の忌避成分含有シート部材を貼着)を示した斜視図である。
【図５】本発明の一実施例の防除資材(両面凹凸形状の資材本体の両面に凹凸形状の忌避成分含有シート部材を貼着)を示した斜視図である。
【符号の説明】
(A)(A1)(A2)…柄眼目類害虫の防除資材
(1)…資材本体
(2)…柄眼目類害虫の忌避成分を含有する織布、不織布又はフィルム
(4)…凹溝
【図１】
0003590134.tif 000002
【図２】
0003590134.tif 000003
【図３】
0003590134.tif 000004
【図４】
0003590134.tif 000005
【図５】
0003590134.tif 000006